(57)【特許請求の範囲】
【請求項１】
本体ケースの内部に画成され、搭載可能な複数種類の商品収納ラックの中から任意に選択した商品収納ラックが搭載される商品収納庫と、
前記商品収納庫に搭載された商品収納ラックに接続され、搭載された商品収納ラックに当該商品収納ラックを作動する電源電圧の電力を供給する電装ボックスと
を備えた自動販売機において、
搭載可能な複数種類の商品収納ラックの種別ごとに設けられ、前記電装ボックスから前記商品収納庫の内部に引き出されたハーネスを接続する一方、搭載した商品収納ラックに接続されたハーネスを着脱可能に接続する電装カプラを備えたことを特徴とする自動販売機。
【請求項２】
前記電装カプラは、
交流電源により作動する商品収納ラックに接続されたハーネスを着脱可能に接続する交流電源用の電装カプラと、直流電源により作動する商品収納ラックに接続されたハーネスを着脱可能に接続する直流電源用の電装カプラとを有することを特徴とする請求項１に記載の自動販売機。
【請求項３】
前記電装カプラに商品収納ラックに接続されたハーネスが接続されない場合に、前記電装カプラに一端と他端とを接続したハーネスを着脱可能に接続したことを特徴とする請求項１または２に記載の自動販売機。
【発明の詳細な説明】
【技術分野】
【０００１】
本発明は、自動販売機に関するもので、特に、商品を収納する商品収納ラックを載せ換えることにより、多種多様な商品の販売を可能にする自動販売機に関する。
【背景技術】
【０００２】
缶入り飲料、ペットボトル入り飲料などの商品のほか、紙パック入り飲料、デザートなどの商品を販売する自動販売機が広く知られている。この種の自動販売機には、サーペンラックのほかに、スパイラルラック、直積ラック、デザートラックなどの任意の商品収納ラックが搭載可能であり、販売する商品に適した商品収納ラックが任意に組み合わせられて搭載される。たとえば、缶入り飲料、ペットボトル入り飲料などの商品とパック入り飲料、デザートなどの商品を販売する場合には、缶入り飲料、ペットボトル入り飲料などの商品の収納に適したサーペンラックとパック入り飲料、デザートなどの商品の収納に適したデザートラックとが組み合わされて搭載される。そして、自動販売機の設置後にパック入り飲料、デザートなどの商品の販売を中止し、缶入り飲料、ペットボトル入り飲料などの商品の種類を増やす場合には、デザートラックをサーペンラックに載せ換えることになる。
【０００３】
たとえば、図１２−１に示すように、内部が二つの仕切板により左庫１４ａ、中庫１４ｂ、右庫１４ｃの三つに画成され、左庫１４ａと中庫１４ｂにサーペンラックを搭載する一方、右庫１４ｃにデザートラックを搭載している自動販売機において、パック入り飲料、デザートなどの商品の販売を中止し、缶入り飲料、ペットボトル入り飲料などの商品の種類を増やす場合には、図１２−２に示すように、右庫１４ｃに搭載したデザートラックをサーペンラックに載せ換えることになる。
【０００４】
ところで、商品収納ラックを載せ換える場合には、電装ボックス１７から商品収納ラックに至るハーネス１７Ａも交換することになる。しかしながら、電装ボックス１７から商品収納ラックに至るハーネス１７Ａの交換は煩雑であり、多大な時間が必要となる。
【０００５】
このような課題を解決すべく、搭載する商品収納ラックの後端下部に商品収納ラックを制御する電装部品の配線端子を設けるとともに、電装ボックスから引き出されたハーネスの渡り配線部分をシュータの裏面側スペースに通し、搭載した商品収納ラックの下面からハーネスを配線用端子に接続すれば、電装ボックスから引き出されたハーネスを交換することなく、商品収納ラックを載せ換えることができる（たとえば、特許文献１参照）。
【先行技術文献】
【特許文献】
【０００６】
【特許文献１】特開平６−２１５２３９号公報
【発明の概要】
【発明が解決しようとする課題】
【０００７】
しかしながら、自動販売機に搭載可能な複数種類の商品収納ラックの中には、ＡＣ１００Ｖを電源電圧とするものもあれば、ＤＣ２４Ｖを電源電圧とするものもあり、ＡＣ１００Ｖを電源電圧とする商品収納ラックからＤＣ２４Ｖを電源電圧とする商品収納ラックに載せ換える場合、ＤＣ２４Ｖを電源電圧とする商品収納ラックからＡＣ１００Ｖを電源電圧とする商品収納ラックに載せ換える場合には、電装ボックスから商品収納ラックに至るハーネスを交換しなければならない。また、電源電圧が同じでも、商品収納ラックの配線用端子の位置が同じでなければ、やはり電装ボックスから商品収納ラックに至るハーネスを交換しなければならない。
【０００８】
本発明は、上記に鑑みてなされたものであって、電装ボックスから商品収納ラックに至るハーネスの交換を簡単なものとし、短時間で商品収納ラックの載せ換えができる自動販売機を提供することを目的とする。
【課題を解決するための手段】
【０００９】
上述した課題を解決し、目的を達成するために、本発明は、本体ケースの内部に画成され、搭載可能な複数種類の商品収納ラックの中から任意に選択した商品収納ラックが搭載される商品収納庫と、前記商品収納庫に搭載された商品収納ラックに接続され、搭載された商品収納ラックに当該商品収納ラックを作動する電源電圧の電力を供給する電装ボックスとを備えた自動販売機において、搭載可能な複数種類の商品収納ラックの種別ごとに設けられ、前記電装ボックスから前記商品収納庫の内部に引き出されたハーネスを接続する一方、搭載した商品収納ラックに接続されたハーネスを着脱可能に接続する電装カプラを備えたことを特徴とする。
【００１０】
また、本発明は、上記発明において、前記電装カプラが、交流電源により作動する商品収納ラックに接続されたハーネスを着脱可能に接続する交流電源用の電装カプラと、直流電源により作動する商品収納ラックに接続されたハーネスを着脱可能に接続する直流電源用の電装カプラとを有することを特徴とする。
【００１１】
また、本発明は、上記発明において、前記電装カプラに商品収納ラックに接続されたハーネスが接続されない場合に、前記電装カプラに一端と他端とを接続したハーネスを着脱可能に接続したことを特徴とする。
【発明の効果】
【００１２】
本発明にかかる自動販売機は、電装ボックスから商品収納庫の内部に引き出されたハーネスを接続する一方、搭載した商品収納ラックに接続されたハーネスを着脱可能に接続する電装カプラを搭載可能な複数種類の商品収納ラックの種別ごとに備えたので、商品収納ラックを載せ換える場合であっても電装ボックスから商品収納庫に引き出されたハーネスを交換する必要がなく、短時間で商品収納ラックの載せ換えができる。
【図面の簡単な説明】
【００１３】
【図１】図１は、本発明の実施の形態である自動販売機の正面図である。
【図２】図２は、図１に示した自動販売機の外扉と内扉とを開放した状態を示す斜視図である。
【図３】図３は、図１に示した自動販売機の構成を示すブロック図である。
【図４】図４は、本発明の実施の形態である自動販売機の中庫の配線を示す図である。
【図５】図５は、図４に示した中庫カプラボードを示す斜視図である。
【図６】図６は、図４に示した中庫ＤＣカプラボードを示す斜視図である。
【図７】図７は、本発明の実施の形態である自動販売機の右庫の配線を示す図である。
【図８】図８は、図７に示した右庫カプラボードを示す斜視図である。
【図９】図９は、図７に示した右庫ＤＣカプラボードを示す斜視図である。
【図１０−１】図１０−１は、本発明の実施の形態である自動販売機の出荷時の配線例を示す概念図である。
【図１０−２】図１０−２は、図１０−１に示した自動販売機において、右庫のデザートラックをサーペンラックに載せ換えた場合の配線を示す概念図である。
【図１０−３】図１０−３は、図１０−１に示した自動販売機において、中庫のサーペンラックをデザートラックに載せ換えた場合の配線を示す概念図である。
【図１１】図１１は、使用しない電装カプラにハーネスの一端と他端とを接続した圧着端子を装着した例を示す図である。
【図１２−１】図１２−１は、先行技術である自動販売機の出荷時の配線例を示す概念図である。
【図１２−２】図１２−２は、図１２−１に示した自動販売機において、右庫のデザートラックをサーペンラックに載せ換えた場合の配線を示す概念図である。
【発明を実施するための形態】
【００１４】
以下に、本発明にかかる自動販売機の実施の形態を図面に基づいて詳細に説明する。なお、この実施の形態によりこの発明が限定されるものではない。
【００１５】
図１は、本発明の実施の形態である自動販売機の正面図であり、図２は、図１に示した自動販売機の外扉と内扉とを開放した状態を示す斜視図である。また、図３は、図１に示した自動販売機の構成を示すブロック図である。
【００１６】
本発明の実施の形態である自動販売機は、缶入り飲料、ビン入り飲料、ペットボトル入り飲料などの商品のほか、商品収納ラックを載せ換えることにより、パック入り飲料、デザートなどの商品の販売を可能にするものである。この自動販売機は、本体ケース１を備えている。本体ケース１は、複数の鋼材を適宜組み合わせることにより構成したもので、前面が開口した直方体の箱型形状を有している。
【００１７】
図２に示すように、本体ケース１は、内部を上下に仕切るように、床板１ａが配設してあり、この床板１ａの下方域に機械室３が画成され、床板１ａの上方域に商品収容室４が画成される。
【００１８】
また、本体ケース１の左側縁部には、外扉２と内扉とが開閉可能に支承してある。外扉２は、本体ケース１の前面開口を閉塞するためのもので、本体ケース１の前面開口を閉塞するのに十分な大きさを有している。内扉は、商品収容室４の前面開口を閉塞するためのもので、商品収容室４の前面開口を閉塞するのに十分な大きさを有している。
【００１９】
図１に示すように、外扉２の前面右側中程には、ポップアップハンドル２１が設けてあり、外扉２を閉塞した状態で施錠される。また、外扉２の前面上方部には、展示室２２が設けてあり、販売可能な商品の商品見本Ｄが展示してある。また、商品見本Ｄと対応するように、選択ボタン２３が設けてある。選択ボタン２３は、選択ボタンスイッチのほか、販売可能ランプ、売切ランプを備えており、選択ボタン２３の押下により商品が選択される。
【００２０】
また、展示室２２の下方となる外扉２の中程には、硬貨投入口２４、紙幣挿入口２５、一体型表示器２６、返却レバー２７が設けてある。硬貨投入口２４は、硬貨を受け付けるための開口であって、硬貨投入口２４から投入された硬貨は、外扉２の背面に配設されたコインメカニズム３１（図２参照）に収容される。紙幣挿入口２５は、紙幣を受け付けるための開口であって、紙幣挿入口２５から挿入された紙幣は、外扉２の背面に配設されたビルバリデータ３２（図２参照）に収容される。一体型表示器２６は、販売中、釣銭切、準備中、お札中止のほか投入金額等の各種情報を表示するためのものである。返却レバー２７は、取引の中断を指示するためのものであって、返却レバー２７が操作されると、取引が中断され、釣銭等が返却口２８に放出される。
【００２１】
また、外扉２の下方となる位置には、取出口２９が設けてある。取出口２９が設けてある。取出口２９は、販売された商品を取り出すための開口である。
【００２２】
図２に示すように、商品収容室４は、上下方向に延びる二つの断熱仕切板１ｂで仕切られており、正面向かって左側となる左庫４ａ、中央となる中庫４ｂ、右側となる右庫４ｃが画成される。これら左庫４ａ、中庫４ｂ、右庫４ｃは、商品収納庫であって、冷蔵庫あるいは温蔵庫に設定され、個別に制御される。
【００２３】
左庫４ａには、サーペンラックが搭載してある。サーペンラックは、缶入り飲料、ペットボトル入り飲料、ビン入り飲料などの商品の収納に適しており、上方から投入された商品を積み重ねた状態で収納する。また、左庫４ａの下方域には、シュータ（図示せず）が配設してある。シュータは、左庫４ａの奥方から前方に向けて漸次低くなるように傾斜しており、サーペンラックから払い出された商品は、シュータの上を滑走または転動して搬出される。
【００２４】
中庫４ｂおよび右庫４ｃには、サーペンラックのほか、スパイラルラック、直積ラック、デザートラック（チルドラック）などの任意のラックが搭載可能であり、販売する商品に適した商品収納ラック５が搭載される。たとえば、図２に示す例では、中庫４ｂおよび右庫４ｃにサーペンラックが搭載されている。
【００２５】
また、中庫４ｂおよび右庫４ｃの下方域には、シュータまたはコンベアが配設可能である。シュータは、サーペンラックから払い出された商品を搬出するためのもので、サーペンラックが搭載された商品収納庫（中庫４ｂ、右庫４ｃ）に配設される。シュータは商品収納庫（中庫４ｂ、右庫４ｃ）の奥方から前方に向けて漸次低くなるように傾斜しており、サーペンラックから払い出された商品は、シュータの上を滑走または転動して搬出される。コンベアは、直積ラックまたはデザートラックから払い出された商品を搬出するためのもので、直積ラックが搭載された商品収納庫（中庫４ｂ、右庫４ｃ）に配設される。コンベアは商品収納庫（中庫４ｂ、右庫４ｃ）の奥方から前方に商品を搬送するもので、直積ラックまたはデザートラックから払い出された商品は、コンベアにより搬出される。
【００２６】
図３に示すように、上述した選択ボタン２３、一体型表示器２６、コインメカニズム３１、ビルバリデータ３２は、メインコントロールボックス６に接続してあり、これらはメインコントロールボックス６により、制御される。また、メインコントロールボックス６には、電装ボックス７が接続してある。電装ボックス７は、各収納庫（左庫４ａ、中庫４ｂ、右庫４ｃ）に搭載された商品収納ラック５を制御するとともに電力を供給する。なお、各機器には、電源ボックス７を介して電力が供給される。
【００２７】
図４は、本発明の実施の形態である自動販売機の中庫の配線を示す図である。図５は、図４に示した中庫カプラボードを示す図であり、図６は、図４に示した中庫ＤＣカプラボードを示す図である。
【００２８】
図４に示すように、中庫４ｂの内部には、二つのカプラボード８Ａ，８Ｂが取り付けてある。一方のカプラボード（以下、「中庫カプラボード」という）８Ａは、直流電源により作動する機器（コンベア）と、交流電源により作動する機器（商品収納ラック）とを接続するためのもので、たとえば、交流電源で作動するサーペンラックが搭載された場合に接続される。他方のカプラボード（以下、「中庫ＤＣカプラボード」という）８Ｂは、直流電源により作動する機器（商品収納ラック）を接続するためのもので、たとえば、直流電源により作動するスパイラルラック、直積ラック、デザートラックが搭載された場合に接続される。
【００２９】
図５に示すように、中庫カプラボード８Ａには、直流電源用の電装カプラ（以下、「ＤＣカプラ」という）８Ａ１と、交流電源用の電装カプラ（以下、「ＡＣカプラ」という）８Ａ２，８Ａ３とが取り付けてある。
【００３０】
ＤＣカプラ８Ａ１は、直流電源を中継するための電装カプラであり、電装ボックス７から中庫４ｂの内部に引き出されたハーネスを接続する一方、直流電源により作動するコンベアに接続されたハーネスを着脱可能に接続する。そして、電装ボックス７から供給されたＤＣ２４Ｖの電源電圧の電力は、ＤＣカプラ８Ａ１に中継され、コンベアに供給される。
【００３１】
ＡＣカプラ８Ａ２，８Ａ３は、交流電源と制御信号とを中継するための電装カプラであり、電装ボックス７から引き出されたハーネス７Ｂ１を接続する一方、交流電源により作動する商品収納ラック５（たとえば、サーペンラック）に接続されたハーネス５Ａを着脱可能に接続する。そして、電装ボックス７から供給されたＡＣ１００Ｖの電源電圧の電力は、ＡＣカプラ８Ａ２，８Ａ３に中継されて商品収納ラック５に供給される。また、電装ボックス７から送信された制御信号はＡＣカプラ８Ａ２，８Ａ３に中継されて商品収納ラック５に伝送され、商品収納ラック５から送信された制御信号はＡＣカプラ８Ａ２，８Ａ３に中継されて電装ボックス７に伝送される。
【００３２】
図６に示すように、中庫ＤＣカプラボード８Ｂには、直流電源用の電装カプラ（以下、「ＤＣカプラ」という）８Ｂ１が取り付けてある。
【００３３】
ＤＣカプラ８Ｂ１は、直流電源と制御信号とを中継するための電装カプラであり、電装ボックス７から中庫４ｂの内部に引き出されたハーネス７Ｂ２を接続する一方、直流電源により作動する商品収納ラック５（たとえば、デザートラック）に接続されたハーネス５Ｂを着脱可能に接続する。そして、電装ボックス７から供給されたＤＣ２４Ｖの電源電圧の電力は、ＤＣカプラ８Ｂ１に中継されて商品収納ラック５に供給される。また、電装ボックス７から送信された制御信号はＤＣカプラ８Ｂ１に中継されて商品収納ラック５に伝送され、商品収納ラック５から送信された制御信号はＤＣカプラ８Ｂ１に中継されて電装ボックス７に伝送される。
【００３４】
図７は、本発明の実施の形態である自動販売機の右庫の配線を示す図である。図８は、図７に示した右庫カプラボードを示す図であり、図９は、図７に示した右庫ＤＣカプラボードを示す図である。
【００３５】
図７に示すように、右庫４ｃの内部には、二つのカプラボード９Ａ，９Ｂが取り付けてある。一方のカプラボード（以下、「右庫カプラボード」という）９Ａは、中庫カプラボード８Ａと同様に、直流電源により作動する機器（コンベア）と、交流電源により作動する機器（商品収納ラック）とを接続するためのもので、たとえば、交流電源で作動するサーペンラックが搭載された場合に接続される。他方のカプラボード（以下、「右庫ＤＣカプラボード」という）９Ｂは、中庫ＤＣカプラボード８Ｂと同様に、直流電源により作動する機器（商品収納ラック）を接続するためのもので、たとえば、直流電源により作動するスパイラルラック、直積ラック、デザートラックが搭載された場合に接続される。
【００３６】
図８に示すように、右庫カプラボード９Ａには、直流電源用の電装カプラ（以下、「ＤＣカプラ」という）９Ａ１と、交流電源用の電装カプラ（以下、「ＡＣカプラ」という）９Ａ２，９Ａ３，９Ａ４とが取り付けてある。
【００３７】
ＤＣカプラ９Ａ１は、直流電源を中継するための電装カプラであり、電装ボックス７から右庫４ｃの内部に引き出されたハーネスを接続する一方、直流電源により作動するコンベアに接続されたハーネスを着脱可能に接続する。そして、電装ボックス７から供給されたＤＣ２４Ｖの電源電圧の電力はＤＣカプラ９Ａ１に中継され、コンベアに供給される。
【００３８】
ＡＣカプラ９Ａ２，９Ａ３，９Ａ４は、交流電源と制御信号とを中継するための電装カプラであり、電装ボックス７から引き出されたハーネス７Ｃ１を接続する一方、交流電源により作動する商品収納ラック５（たとえば、サーペンラック）に接続されたハーネスを着脱可能に接続する。そして、電装ボックス７から供給されたＡＣ１００Ｖの電源電圧の電力は、ＡＣカプラ９Ａ２，９Ａ３，９Ａ４に中継されて商品収納ラックに供給される。また、電装ボックス７から送信された制御信号はＡＣカプラ９Ａ２，９Ａ３，９Ａ４に中継されて商品収納ラック５に伝送され、商品収納ラック５から送信された制御信号はＡＣカプラ９Ａ２，９Ａ３，９Ａ４に中継されて電装ボックス７に伝送される。
【００３９】
図９に示すように、右庫ＤＣカプラボード９Ｂには、直流電源用の電装カプラ（以下、「ＤＣカプラ」という）９Ｂ１が取り付けてある。
【００４０】
ＤＣカプラ９Ｂ１は、直流電源と制御信号とを中継するための電装カプラであり、電装ボックス７から右庫４ｃの内部に引き出されたハーネス７Ｃ２を接続する一方、直流電源により作動する商品収納ラック（たとえば、デザートラック）に接続されたハーネス５Ｂを着脱可能に接続する。そして、電装ボックス７から供給されたＤＣ２４Ｖの電源電圧の電力はＤＣカプラ９Ｂ１に中継されて商品収納ラック５に供給される。また、電装ボックス７から送信された制御信号はＤＣカプラ９Ｂ１に中継されて商品収納ラック５に伝送され、商品収納ラック５から送信された制御信号はＤＣカプラ９Ｂ１に中継されて電装ボックス７に伝送される。
【００４１】
図１０−１は、本発明の実施の形態である自動販売機の出荷時の配線例を示す概念図であり、図１０−２は、図１０−１に示した自動販売機において、右庫のデザートラックをサーペンラックに載せ換えた場合の配線を示す図である。また、図１０−３は、図１０−１に示した自動販売機において、中庫のサーペンラックをデザートラックに載せ換えた場合の配線を示す図である。
【００４２】
図１０−１に示す例では、出荷時には、中庫４ｂにサーペンラックを搭載し、右庫４ｃにデザートラックを搭載している。
【００４３】
中庫４ｂにサーペンラックを搭載する場合には、中庫カプラボード８Ａに取り付けたＡＣカプラ８Ａ２，８Ａ３を使用する。具体的には、サーペンラックに接続されたハーネス５ＡをＡＣカプラ８Ａ２，８Ａ３に接続する。一方、中庫ＤＣカプラボード８Ｂに取り付けたＤＣカプラ８Ｂ１は使用しないので、図１１に示すように、ハーネスの一端と他端とを接続した圧着端子１１をＤＣカプラ８Ｂ１に装着する。また、ＤＣカプラ８Ａ１も使用しないので、ハーネスの一端と他端とを接続した圧着端子１１を装着する。
【００４４】
右庫４ｃにデザートラックを搭載する場合には、右庫４ｃにコンベアも搭載する。そして、右庫カプラボード９Ａに取り付けたＤＣカプラ９Ａ１と右庫ＤＣカプラボード９Ｂに取り付けたＤＣカプラ９Ｂ１とを使用する。具体的には、コンベアに接続されたハーネスをＤＣカプラ９Ａ１に接続するとともに、デザートラックに接続されたハーネス５ＢをＤＣカプラ９Ｂ１に接続する。一方、右庫カプラボード９Ａに取り付けたＡＣカプラ９Ａ２，９Ａ３，９Ａ４は使用しないので、ハーネスの一端と他端とを接続した圧着端子１１をＡＣカプラ９Ａ２，９Ａ３，９Ａ４に装着する。
【００４５】
図１０−２に示すように、出荷後に右庫４ｃに搭載したデザートラックをサーペンラックに載せ換える場合には、まず、右庫ＤＣカプラボード９ＢのＤＣカプラ９Ｂ１からデザートラックに接続されたハーネス５Ｂを取り外し、右庫４ｃからデザートラックを降ろす。つぎに、右庫カプラボード９ＡのＤＣカプラ９Ａ１からコンベアに接続されたハーネスを取り外し、右庫４ｃからコンベアを降ろす。そして、右庫カプラボード９ＡのＡＣカプラ９Ａ２，９Ａ３，９Ａ４から圧着端子１１を取り外し、右庫４ｃにサーペンラックを搭載するとともに、サーペンラックに接続されたハーネス５Ａを右庫カプラボード９ＡのＡＣカプラ９Ａ２，９Ａ３，９Ａ４に接続して、ＤＣカプラ９Ａ１、ＤＣカプラ９Ｂ１に圧着端子１１を装着する。
【００４６】
図１０−３に示すように、出荷後に中庫４ｂに搭載したサーペンラックをデザートラックに載せ換える場合には、まず、中庫カプラボード８ＡのＡＣカプラ８Ａ２，８Ａ３からサーペンラックに接続されたハーネスを取り外し、中庫４ｂからサーペンラックを降ろす。つぎに、中庫カプラボード８ＡのＤＣカプラ８Ａ１、中庫ＤＣカプラボード８ＢのＤＣカプラ８Ｂ１から圧着端子１１を取り外し、中庫４ｂにコンベアを搭載するとともに、コンベアに接続されたハーネスを中庫カプラボード８ＡのＤＣカプラ８Ａ１に接続する。つぎに、中庫４ｂにデザートラックを搭載するとともに、デザートラックに接続されたハーネスを中庫ＤＣカプラボードのＤＣカプラ８Ｂ１に接続して、中庫カプラボード８ＡのＡＣカプラ８Ａ２，８Ａ３に圧着端子１１を装着する。
【００４７】
上述した本発明の実施の形態である自動販売機は、交流電源により作動する商品収納ラック５（たとえば、サーペンラック）に接続されたハーネス５Ａを接続するＡＣカプラ８Ａ２，８Ａ３と、直流電源により作動する商品収納ラック５（たとえば、デザートラック）に接続されたハーネス５Ｂを接続するＤＣカプラ８Ｂ１を中庫４ｂに設けたので、中庫４ｂには、交流電源により作動する商品収納ラック５と直流電源により作動する商品収納ラック５のいずれか一方を選択して搭載できる。また、交流電源により作動する商品収納ラック（たとえば、サーペンラック）を直流電源により作動する商品収納ラック（たとえばデザートラック）に載せ換える場合であっても、電装ボックス７から中庫４ｂの内部に引き出されたハーネス７Ｂ１，７Ｂ２を取り換える必要がなく、短時間で載せ換えることができる。同様に、直流電源により作動する商品収納ラックを交流電源により作動する商品収納ラックに載せ換える場合であっても、電装ボックス７から中庫４ｂの内部に引き出されたハーネス７Ｂ１，７Ｂ２を取り換える必要がなく、短時間で載せ換えることができる。
【００４８】
また、交流電源により作動する商品収納ラック５（たとえば、サーペンラック）に接続されたハーネス５Ａを接続するＡＣカプラ９Ａ２，９Ａ３，９Ａ４と、直流電源により作動する商品収納ラック５（たとえば、デザートラック）に接続されたハーネス５Ｂを接続するＤＣカプラ９Ｂ１を右庫４ｃに設けたので、右庫４ｃには、交流電源により作動する商品収納ラック５と直流電源により作動する商品収納ラック５のいずれか一方を選択して搭載できる。また、交流電源により作動する商品収納ラック（たとえば、サーペンラック）を直流電源により作動する商品収納ラック（たとえばデザートラック）に載せ換える場合であっても、電装ボックス７から右庫４ｃの内部に引き出されたハーネス７Ｃ１，７Ｃ２を取り換える必要がなく、短時間で載せ換えることができる。同様に、直流電源により作動する商品収納ラックを交流電源により作動する商品収納ラックに載せ換える場合であっても、電装ボックス７から右庫４ｃの内部に引き出されたハーネス７Ｃ１，７Ｃ２を取り換える必要がなく、短時間で載せ換えることができる。
【００４９】
また、交流電源により作動する商品収納ラック５（たとえば、サーペンラック）を中庫４ｂに搭載した場合には、ＤＣカプラ８Ａ１，ＤＣカプラ８Ｂ１を使用しないことになるが、図１１に示すように、ハーネスの一端と他端と接続した圧着端子１１を装着することにより、ＤＣカプラ８Ａ１，ＤＣカプラ８Ｂ１の端子接続面を保護する。これにより、中庫４ｂで結露した水滴が端子接続面に侵入する事態が防止され、防錆効果を得ることができる。
【００５０】
同様に、直流電源により作動する商品収納ラック５（たとえば、デザートラック）を中庫４ｂに搭載した場合には、ＡＣカプラ８Ａ２，８Ａ３は使用しないことになるが、ハーネスの一端と他端とを接続した圧着端子１１を装着することにより、ＡＣカプラ８Ａ２，８Ａ３の端子接続面を保護する。これにより、中庫４ｂで結露した水滴が端子接続面に侵入する事態が防止され、防錆効果を得ることができる。
【００５１】
なお、右庫４ｃにおいても使用しない電装カプラにハーネスの一端と他端とを接続した圧着端子１１を装着することにより、防錆効果を得ることができる。
【符号の説明】
【００５２】
４ａ    左庫（商品収納庫）
４ｂ    中庫（商品収納庫）
４ｃ    右庫（商品収納庫）
５    商品収納ラック
５Ａ，５Ｂ    ハーネス
６    メインコントロールボックス
７    電装ボックス
７Ｂ１，７Ｂ２    ハーネス
７Ｃ１，７Ｃ２    ハーネス
８Ａ    中庫カプラボード
８Ａ２，８Ａ３    ＡＣカプラ（電装カプラ）
８Ｂ    中庫ＤＣカプラボード
８Ａ１，８Ｂ１    ＤＣカプラ（電装カプラ）
９Ａ    右庫カプラボード
９Ａ２，９Ａ３，９Ａ４    ＡＣカプラ（電装カプラ）
９Ｂ    右庫ＤＣカプラボード
９Ａ１，９Ｂ１    ＤＣカプラ（電装カプラ）
１１    圧着端子
【図１】
0005521808.tif 000002
【図２】
0005521808.tif 000003
【図３】
0005521808.tif 000004
【図４】
0005521808.tif 000005
【図５】
0005521808.tif 000006
【図６】
0005521808.tif 000007
【図７】
0005521808.tif 000008
【図８】
0005521808.tif 000009
【図９】
0005521808.tif 000010
【図１０−１】
0005521808.tif 000011
【図１０−２】
0005521808.tif 000012
【図１０−３】
0005521808.tif 000013
【図１１】
0005521808.tif 000014
【図１２−１】
0005521808.tif 000015
【図１２−２】
0005521808.tif 000016